(57)【特許請求の範囲】
【請求項１】
連続状シートを収納する筐体と、
前記筐体の開口部を開閉する蓋体と、
前記連続状シート及び単票シートに印字を行う印字ヘッドと、
前記筐体側における前記印字ヘッドの下流位置に設けられ、前記連続状シートと前記単票シートとを分岐させる分岐体であって、前記蓋体の開閉を妨げない位置に退避可能なものと、
前記筐体側に設けられ、直線方向に操作される蓋体開操作ボタンと、
前記蓋体を閉位置にロックする蓋体ロック機構であって、前記蓋体開操作ボタンの操作に応じて、前記蓋体の開動作を許容すると共に、前記分岐体を退避側に動作させるものと、
を備えることを特徴とするプリンタ。
【請求項２】
前記蓋体ロック機構は、
前記筐体側に設けられるロックピンと、
前記蓋体側に回動自在に設けられ、前記ロックピンに対して係脱可能なロックレバーと、
前記筐体側に回動自在に設けられるロック解除レバーであって、前記蓋体開操作ボタンの操作に応じて、前記ロックレバーをロック解除側に動作させると共に、前記分岐体を退避側に動作させるものと、
を備えることを特徴とする請求項１に記載のプリンタ。
【請求項３】
前記蓋体に回動自在に設けられる可動プラテンであって、前記蓋体の開操作に伴って前記印字ヘッドの近接対向位置から後退し、且つ、前記蓋体の閉操作に伴って前記印字ヘッドの近接対向位置に向けて前進するものを更に備えることを特徴とする請求項１又は２に記載のプリンタ。
【請求項４】
前記分岐体に設けられる固定側搬送ローラと、前記可動プラテンに設けられ、前記固定側搬送ローラとの間で前記連続状シートを搬送する可動側搬送ローラとを更に備えることを特徴とする請求項１〜３の何れかに記載のプリンタ。
【請求項５】
前記分岐体は、前記可動側搬送ローラに対して進退方向回動自在に構成されると共に、押えバネによって前進方向に付勢されていることを特徴とする請求項１〜４の何れかに記載のプリンタ。
【請求項６】
前記分岐体は、前記連続状シートを切断するための固定刃を備えることを特徴とする請求項１〜５の何れかに記載のプリンタ。
【請求項７】
前記ロック解除レバーは、前記蓋体開操作ボタンに連繋される第１レバー部と、前記ロックレバー及び前記分岐体に連繋される第２レバー部と、前記第１及び第２レバー部を一体的に連結する連結部とを備えて形成され、前記第１及び第２レバー部がそれぞれ回動支持されることを特徴とする請求項１〜６の何れかに記載のプリンタ。
【請求項８】
前記ロック解除レバーを回動自在に支持するロック解除レバー支持部は、通常回動範囲外における前記ロック解除レバーの横方向からの取り付けを許容する回動支持部と、通常回動範囲内における前記ロック解除レバーの横方向移動を規制するストッパ部とを備え、更に、前記ロック解除レバーの通常回動範囲外への回動が前記蓋体開操作ボタンによって規制されることを特徴とする請求項１〜７の何れかに記載のプリンタ。
【請求項９】
前記第１もしくは第２レバー部は、回動支点孔に連続する切欠き部を備える一方、前記回動支持部は、前記切欠き部が嵌合可能な幅狭部と、該幅狭部から横方向に突設され、前記切欠き部が前記幅狭部に嵌合した状態で前記回動支点孔との嵌合が許容される回動支点軸部とを備えることを特徴とする請求項１〜８の何れかに記載のプリンタ。
【請求項１０】
連続状シートを収納する収納部を有する筐体と、
前記収納部の開口を開閉する蓋体と、
前記連続状シート及び単票シートに印字を行う印字ヘッドと、
前記蓋体に回動自在に設けられ、前記印字ヘッドの近接対向位置で前記連続状シート及び前記単票シートの裏面を案内する可動プラテンであって、前記蓋体の開操作に伴って前記近接対向位置から後退し、且つ、前記蓋体の閉操作に伴って前記近接対向位置に向けて前進するものと、
前記蓋体の開閉に伴い、前記可動プラテンの固定端側と係合して前記可動プラテンの自由端側を背反方向に回動させるガイド部材と、
前記筐体側における前記印字ヘッドの下流位置に設けられ、前記連続状シートと前記単票シートとを分岐させる分岐体であって、前記蓋体の開閉を妨げない位置に退避可能なものと、
前記筐体側に設けられ、直線方向に操作される蓋体開操作ボタンと、
前記蓋体を閉位置にロックする蓋体ロック機構であって、前記蓋体開操作ボタンの操作に応じて、前記蓋体の開動作を許容すると共に、前記分岐体を退避側に動作させるものと、
を備えることを特徴とするプリンタ。
【発明の詳細な説明】
【０００１】
【発明の属する技術分野】
本発明は、連続状シート及び単票シートに印字を行うプリンタに関し、特に、連続状シートと単票シートとを分岐させる分岐体を備えたプリンタに関する。
【０００２】
【従来の技術】
内部に連続状シートの収納部を備え、該収納部から連続状シートを引き出して印字を行うプリンタが知られている。この種のプリンタは、蓋体によって開閉される開口部を備えており、該開口部を介して連続状シートの交換やプリンタ内部のメンテナンスが行われる。
【０００３】
近年、印字ヘッドを兼用し、連続状シート及び単票シートに印字を行うプリンタが普及している。この種のプリンタは、レシート、請求書、チケット、クーポン等の各種シートを発行することが可能であり、スーパーその他の店舗で広く利用されている。
【０００４】
【発明が解決しようとする課題】
上記のようなプリンタにおいては、連続状シート及び単票シートを、共通の印字位置に導くと共に、印字後に別々の排紙口から排紙することが望ましく、そのためには、印字ヘッドの下流位置に、連続状シートと単票シートとを分岐させる分岐体を設けることが要求される。しかしながら、上記のような分岐体を設けると、該分岐体が蓋体の開閉動作に干渉する可能性があり、この場合には、蓋体の円滑な開閉動作が阻害される不都合がある許りでなく、分岐体や蓋体側の部材が破損する可能性がある。
【０００５】
本発明の目的は、印字ヘッドの下流位置で連続状シートと単票シートとを分岐させる分岐体を備えるものでありながら、蓋体の開操作時においては、前記分岐体を、蓋体の開閉を妨げない位置に自動的に退避させることにより、蓋体の円滑な開動作を可能にすると共に、分岐体の破損等を防止することができ、しかも、蓋体開操作ボタンの直線的な操作に応じて蓋体のロック解除および分岐体の退避を行うことにより、蓋体開操作時の操作性を向上させることができるプリンタを提供することにある。
【０００６】
【課題を解決するための手段】
上記目的を達成するため本発明のプリンタは、連続状シートを収納する筐体と、前記筐体の開口部を開閉する蓋体と、前記連続状シート及び単票シートに印字を行う印字ヘッドと、前記筐体側における前記印字ヘッドの下流位置に設けられ、前記連続状シートと前記単票シートとを分岐させる分岐体であって、前記蓋体の開閉を妨げない位置に退避可能なものと、前記筐体側に設けられ、直線方向に操作される蓋体開操作ボタンと、前記蓋体を閉位置にロックする蓋体ロック機構であって、前記蓋体開操作ボタンの操作に応じて、前記蓋体の開動作を許容すると共に、前記分岐体を退避側に動作させるものとを備えて構成される。
【０００７】
また、前記蓋体ロック機構は、前記筐体側に設けられるロックピンと、前記蓋体側に回動自在に設けられ、前記ロックピンに対して係脱可能なロックレバーと、前記筐体側に回動自在に設けられるロック解除レバーであって、前記蓋体開操作ボタンの操作に応じて、前記ロックレバーをロック解除側に動作させると共に、前記分岐体を退避側に動作させるものとを備えることが好ましい。この場合においては、蓋体開操作ボタンを直線的に操作するものでありながら、回動式のロック解除レバーを介してロックレバー及び分岐体を動作させることにより、蓋体開操作ボタンの操作力を軽減し、蓋体開操作時の操作性を更に向上させることができる。
【０００８】
また、前記蓋体に回動自在に設けられる可動プラテンであって、前記蓋体の開操作に伴って前記印字ヘッドの近接対向位置から後退し、且つ、前記蓋体の閉操作に伴って前記印字ヘッドの近接対向位置に向けて前進するものを更に備えることが好ましい。この場合においては、蓋体開閉時における分岐体と可動プラテンとの干渉を確実に回避し、蓋体開動作時の円滑性を更に高めることができる。
【０００９】
また、前記分岐体に設けられる固定側搬送ローラと、前記可動プラテンに設けられ、前記固定側搬送ローラとの間で前記連続状シートを搬送する可動側搬送ローラとを更に備えることが好ましい。この場合においては、印字ヘッドの下流側で連続状シートを搬送することにより、連続状シートの弛み等を防止でき、しかも、分岐体が固定側搬送ローラの支持部材に兼用されるため、部品点数の削減及び構造の簡略化を図ることができる。
【００１０】
また、前記分岐体は、前記可動側搬送ローラに対して進退方向回動自在に構成されると共に、押えバネによって前進方向に付勢されていることが好ましい。この場合においては、分岐体を円滑に退避動作させることが可能になる許りでなく、押えバネの付勢力で確実な紙押えを行うことができる。
【００１１】
また、前記分岐体は、前記連続状シートを切断するための固定刃を備えることが好ましい。この場合においては、分岐体が固定刃の支持部材に兼用されるため、部品点数の削減及び構造の簡略化を図ることができる。
【００１２】
また、前記ロック解除レバーは、前記蓋体開操作ボタンに連繋される第１レバー部と、前記ロックレバー及び前記分岐体に連繋される第２レバー部と、前記第１及び第２レバー部を一体的に連結する連結部とを備えて形成され、前記第１及び第２レバー部がそれぞれ回動支持されることが好ましい。この場合においては、ロック解除レバーの強度を高めると共に、ロック解除レバーの円滑な動作を可能にするため、蓋体開操作時の操作性を更に向上させることができる。
【００１３】
また、前記ロック解除レバーを回動自在に支持するロック解除レバー支持部は、通常回動範囲外における前記ロック解除レバーの横方向からの取り付けを許容する回動支持部と、通常回動範囲内における前記ロック解除レバーの横方向移動を規制するストッパ部とを備え、更に、前記ロック解除レバーの通常回動範囲外への回動が前記蓋体開操作ボタンによって規制されることが好ましい。この場合においては、ロック解除レバーの横方向移動を規制する専用部材が不要になるため、部品点数及び組み立て工数を削減できる許りでなく、構造を簡略化することができる。
【００１４】
また、前記第１もしくは第２レバー部は、回動支点孔に連続する切欠き部を備える一方、前記回動支持部は、前記切欠き部が嵌合可能な幅狭部と、該幅狭部から横方向に突設され、前記切欠き部が前記幅狭部に嵌合した状態で前記回動支点孔との嵌合が許容される回動支点軸部とを備えることが好ましい。この場合においては、ロック解除レバーに切欠き部を形成する一方、回動支持部に幅狭部を形成する程度の簡単な構成で、回動支持部に対するロック解除レバーの取り付けが可能になる。
【００１５】
【発明の実施の形態】
以下、本発明の一実施形態を図面に沿って説明する。図１は、本発明の一実施形態に係るプリンタの蓋体閉状態を示す斜視図、図２は、プリンタの蓋体開状態を示す斜視図、図３は、プリンタユニットの蓋体閉状態を示す斜視図、図４は、プリンタユニットの蓋体開状態を示す斜視図、図５は、プリンタユニットの側断面図である。これらの図に示すように、プリンタ１０は、プリンタユニット１１をカバー（筐体構成部材）１２で覆って構成される。プリンタ１０は、ロール紙（連続状シート）Ｐ１を収納するロール紙収納部１３と、単票紙（単票シート）Ｐ２を挿入する単票紙挿入口１４とを有し、ロール紙収納部１３から引き出されるロール紙Ｐ１と、単票紙挿入口１４から挿入される単票紙Ｐ２とが共通の印字位置１５を通って搬送されるようにロール紙搬送路および単票紙搬送路が構成されている。印字位置１５には、印字ヘッド１６と可動プラテン１７とが近接対向状態で配置されており、その下流側には、ロール紙Ｐ１と単票紙Ｐ２との排紙経路を分岐させる分岐体１８が設けられている。
【００１６】
ロール紙収納部１３から引き出されたロール紙Ｐ１は、第１固定搬送ローラ１９（駆動側）と第１可動搬送ローラ２０（従動側）との間を通って印字位置１５に至り、さらに分岐体１８の後側で第２固定搬送ローラ２１（従動側）と第２可動搬送ローラ２２（駆動側）との間を通ってロール紙排出口２３から排出される。一方、単票紙挿入口１４から挿入された単票紙Ｐ２は、単票紙搬送ローラ２４の後側を通って印字位置１５に至り、さらに分岐体１８の前側を通って単票紙排出口２５から排出される。
【００１７】
ロール紙収納部１３の上方には、開口部２６が形成されており、該開口部２６を介してロール紙Ｐ１の交換等が行われる。開口部２６は、ユニットフレーム（筐体構成部材）２７の後部に上下回動自在に設けられる蓋体２８によって開閉される。蓋体２８の開閉は、蓋体２８が閉位置に達したとき、蓋体２８側に前後回動自在に設けられる左右一対のロックレバー２９が、ユニットフレーム２７側に設けられるロックピン３０に係合することによって自動的にロックされ、また、ロックレバー２９による蓋体２８のロックは、後述する蓋体開操作ボタン３１の操作に応じて解除される。
【００１８】
蓋体２８の先端部には、前記可動プラテン１７がプラテン支軸３２を介して前後回動自在に支持されている。可動プラテン１７の自由端側には、ローラ支軸３３を介して前記第１可動搬送ローラ２０が設けられており、固定端側には、プラテン支軸３２を介して前記第２可動搬送ローラ２２が設けられている。駆動ローラである第２可動搬送ローラ２２は、蓋体２８が全閉状態のとき、可動プラテン１７の一側部に設けられるギヤ伝動機構３４を介して搬送モータ（図示せず）に連動連結され、該搬送モータの動力で駆動回転する。さらに、可動プラテン１７は、図示しない後退用弾機によって蓋体２８の下面側に付勢されており、蓋体２８が開状態のときは、後退用弾機の付勢力で可動プラテン１７が蓋体２８の下面に沿う姿勢に保持される。
【００１９】
一方、ユニットフレーム２７側には、蓋体２８の開閉に伴って可動プラテン１７を回動させるガイド部材３５が設けられている。ガイド部材３５は、可動プラテン１７の固定端側に突設される左右一対の係合レバー３６に係合し、可動プラテン１７を回動させる。以下、図６〜図１１に沿って可動プラテン１７の基本的な動作を説明する。
【００２０】
図６は、蓋体全開状態を示すプリンタユニットの側面図である。この図に示されるように、蓋体２８が全開状態のときは、後退用弾機の付勢力によって可動プラテン１７が蓋体２８の下面に沿う姿勢に保持され、ロール紙収納部１３の上方が広く開放される。また、可動プラテン１７、第１可動搬送ローラ２０および第２可動搬送ローラ２２が蓋体２８と共に退避することにより、ロール紙搬送路の一側が開放される。この状態でロール紙Ｐ１の収納を行うと共に、ロール紙収納部１３からロール紙Ｐ１を引き出してロール紙搬送路に沿わせる。
【００２１】
図７は、蓋体半開状態を示すプリンタユニットの側面図、図８は、係合レバーがガイド部材に当った状態を示すプリンタユニットの側面図、図９は、可動プラテンが回動を開始した状態を示すプリンタユニットの側面図、図１０は、蓋体が全閉位置に至る直前の状態を示すプリンタユニットの側面図である。これらの図に示されるように、ロール紙Ｐ１を収納した後、蓋体２８を閉操作すると、可動プラテン１７の係合レバー３６がガイド部材３５に係合する。さらに、蓋体２８を閉側に押すと、ガイド部材３５によって下動が規制される係合レバー３６は、蓋体２８に対して後退方向に相対回動し、それに伴って可動プラテン１７が後退用弾機の付勢力に抗して背反的に前進方向に相対回動する。これにより、可動プラテン１７は、蓋体２８と共に下動しながら前進方向に回動し、分岐体１８の下側空間に進入する。
【００２２】
図１１は、蓋体全閉状態を示すプリンタユニットの側面図である。この図に示されるように、蓋体２８がロックレバー２９による自動ロック位置（全閉位置）まで閉操作されると、可動プラテン１７が印字ヘッド１６の近接対向位置に達すると共に、第１可動搬送ローラ２０および第２可動搬送ローラ２２がロール紙Ｐ１を押え、プリンタ１０が印字可能な状態となる。
【００２３】
一方、蓋体２８が全閉した状態で蓋体開操作ボタン３１を操作すると、蓋体２８の開操作が可能になる。蓋体２８を開くと、係合レバー３６が閉操作時と逆の作用によって前進方向に相対回動し、それに伴って可動プラテン１７が背反的に後退方向に相対回動する。これにより、可動プラテン１７は、蓋体２８と共に上動しながら後退方向に回動し、分岐体１８の下側空間から退避する。
【００２４】
ところで、上記のように蓋体２８を閉操作した場合、まず、第２可動搬送ローラ２２が、印字ヘッド１６の下流側で第２固定搬送ローラ２１に当接した後、第１可動搬送ローラ２０が、印字ヘッド１６の上流側で第１固定搬送ローラ１９に当接する。これにより、ロール紙搬送路に沿って引き出されたロール紙Ｐ１に適度なテンションを与えることができ、しかも、第１および第２可動搬送ローラ２０、２２がタイミングをずらしてロール紙Ｐ１を押えることにより、ロール紙Ｐ１に無理な力が作用したり、弛み状態のロール紙Ｐ１をそのまま両可動搬送ローラ２０、２２が押えてしまう不都合を回避することが可能になる。
【００２５】
可動プラテン１７は、更に、自由端側の左右両側面部に位置決めガイド部３７を備えている。位置決めガイド部３７は、下方が開口するガイド溝３７ａを形成しており、ユニットフレーム２７側に設けられる固定ガイドピン３８との係合により、可動プラテン１７を印字ヘッド１６の近接対向位置に位置決めする。つまり、図１０に示すように、蓋体２８が全閉直前位置まで閉操作されると、ガイド部材３５が可動プラテン１７の回動を略停止状態とし、多少の自由回動を許容する状態で可動プラテン１７を略垂直方向に下降させる。このとき、位置決めガイド部３７の下部に形成される傾斜ガイド面３７ｂが固定ガイドピン３８に接当すると共に、ガイド溝３７ａが固定ガイドピン３８に係合するように可動プラテン１７を位置決めガイドする。これにより、可動プラテン１７が印字ヘッド１６の近接対向位置に正確に位置決めされることになる。また、上記ガイド溝３７ａのガイド方向（係合方向）は、可動プラテン１７が印字ヘッド１６から逃げる方向に対して略直交し、しかも、第１可動搬送ローラ２０と第１固定搬送ローラ１９との接線方向に対して略直交するように設定される。そのため、可動プラテン１７の逃げを位置決めガイド部３７で確実に規制することができる許りでなく、第１可動搬送ローラ２０を第１固定搬送ローラ１９に対して正確に位置決めすることが可能になる。
【００２６】
図１２は、分岐体の斜視図である。この図に示されるように、分岐体１８は、単票紙搬送路を形成する分岐板３９と、該分岐板３９の裏面に設けられ、前記第２固定搬送ローラ２１を回転自在に軸支する支持部材４０と、該支持部材４０に設けられ、ロール紙Ｐ１の排出部分を切断するための固定刃４１とを備えて構成される。このように構成された分岐体１８は、ユニットフレーム２７に分岐体支軸４２を介して前後回動自在に設けられており、分岐体支軸４２の左右両端部に設けられる押えバネ４３によって可動プラテン１７側（第２可動搬送ローラ２２側）に付勢されている。つまり、分岐体１８は、蓋体２８の開閉動作を妨げない位置に退避可能に構成されており、しかも、蓋体２８の閉状態においては、押えバネ４３の付勢力で第２固定搬送ローラ２１を第２可動搬送ローラ２２に圧接させ、確実な紙搬送を可能にする。尚、押えバネ４３の一端側は、ユニットフレーム２７側の溝部に係合され、他端側は、支持部材４０の凸部４０ａに係合される。
【００２７】
図１３は、蓋体ロック機構を示すプリンタユニットの全体斜視図、図１４は、蓋体ロック機構を上側から見た斜視図、図１５は、蓋体ロック機構を下側から見た斜視図である。これらの図に示されるように、蓋体ロック機構４４は、蓋体２８側に設けられる前述のロックレバー２９と、ユニットフレーム２７側に設けられる前述のロックピン３０と、蓋体開操作ボタン３１の操作に応じてロックレバー２９をロック解除側に動作させるロック解除レバー４５とを備えて構成される。ロックレバー２９は、ロックピン３０に係合可能なフック部２９ａと、ロックピン３０に自動的に係合するための傾斜ガイド部２９ｂとを有し、蓋体２８の先端側に左右振分け状に配置される。左右一対のロックレバー２９は、その基端部がパイプ状の連結部材２９ｃを介して一体的に連結されると共に、連結部材２９ｃに嵌入するレバー支軸２９ｄによって前後回動自在に支持され、更に、復帰バネ２９ｅによってロックピン係合方向に付勢されている。ロックピン３０は、ユニットフレーム２７を構成するサイドフレーム４６の内側部に突設されており、ロックレバー２９との係合により蓋体２８を閉位置に保持する。
【００２８】
ロック解除レバー４５は、蓋体開操作ボタン３１に連繋される第１レバー部４５ａと、ロックレバー２９及び分岐体１８に連繋される第２レバー部４５ｂと、両レバー部４５ａ、４５ｂの上端部同士を一体的に連結する連結部４５ｃとを有し、正面視で略冂字状に形成される。第１レバー部４５ａは、蓋体開操作ボタン３１に係合するボタン係合部４５ｄと、後述するロック解除レバー支持部材４７の回動支持部４７ａに嵌合される回動支点孔４５ｅとを有し、該回動支点孔４５ｅを支点として前後回動自在に支持される。第２レバー部４５ｂは、右側ロックレバー２９の係合片２９ｆに係合するロックレバー係合部４５ｆと、分岐体１８の凸部４０ａに係合する分岐体係合部４５ｇと、サイドフレーム４６の回動支点孔（図示せず）に嵌合される筒軸状のバーリング部４５ｈとを有し、該バーリング部４５ｈを支点として前後回動自在に支持される。また、蓋体開操作ボタン３１は、ユニットフレーム２７に対して直線方向にスライド自在に取り付けられており、本実施形態では、下方に向けて直線的に押し操作される。
【００２９】
図１６は、蓋体全閉状態を示す蓋体ロック機構の側面図である。この図に示すように、蓋体２８が全閉状態のときは、ロックレバー２９がロックピン３０に係合し、蓋体２８を閉位置に保持している。また、分岐体１８は、押えバネ４３の付勢力により、第２固定搬送ローラ２１を第２可動搬送ローラ２２に圧接させている。
【００３０】
図１７は、蓋体開操作ボタンの操作直後を示す蓋体ロック機構の側面図、図１８は、蓋体が開動作を開始した状態を示す蓋体ロック機構の側面図である。これらの図に示されるように、蓋体２８が全閉状態のとき、蓋体開操作ボタン３１を直線的に押し操作すると、その操作力を受けてロック解除レバー４５が前方に回動する。ロック解除レバー４５が前方に回動すると、第２レバー部４５ｂのロックレバー係合部４５ｆが右側ロックレバー２９の係合片２９ｆを前方に押し、それに伴ってロックレバー２９がロック解除側に動作して蓋体２８の開動作を許容する。また、それと同時に第２レバー部３５ｂの分岐体係合部４５ｇが分岐体１８の凸部４０ａを前方に押す。これにより、分岐体１８が蓋体２８の開閉を妨げない位置に自動的に退避し、蓋体２８の円滑な開動作を可能にする。
【００３１】
図１９の（Ａ）は、ロック解除レバーの回動支点部位を示す側面図、（Ｂ）は、ロック解除レバー支持部材の回動支持部を示す平面図、（Ｃ）は、その正面図、（Ｄ）は、その側面図である。これらの図に示されるように、ロック解除レバー４５の第１レバー部４５ａには、回動支点孔４５ｅに連続し、その下方を開放させる切欠き部４５ｉが形成されている。一方、ロック解除レバー支持部材４７は、樹脂成形されており、その右上部に回動支持部４７ａを一体に備える。回動支持部４７ａには、ロック解除レバー４５の切欠き部４５ｉが上方から嵌合可能な板状の幅狭部４７ｂと、該幅狭部４７ｂから右側方に突設され、切欠き部４５ｉが幅狭部４７ｂに嵌合した状態で回動支点孔４５ｅとの嵌合が許容される回動支点軸部４７ｃとが形成されており、該回動支点軸４７ｃによってロック解除レバー４５の第１レバー部４５ａが回動支持される。
【００３２】
次に、ロック解除レバーの取付構造を図２０〜図２３に沿って説明する。図１９に示されるように、先ず、ロック解除レバー４５を前傾姿勢（通常回動範囲外）とし、第１レバー部４５ａの切欠き部４５ｉをロック解除レバー支持部材４７の幅狭部４７ｂに上方から嵌合させる（図２０の▲１▼）。次に、ロック解除レバー４５を右側方にスライドさせ、第１レバー部４５ａの回動支点孔４５ｅをロック解除レバー支持部材４７の回動支点軸部４７ｃに嵌合させると共に、第２レバー部４５ｂのバーリング部４５ｈをサイドフレーム４６の回動支点孔に嵌合させる（図２０の▲２▼）。次に、ロック解除レバー４５を通常回動範囲内まで回動させ、ロック解除レバー４５の左端部に形成される係合突起４５ｊを、サイドフレーム４６に形成されるストッパ部４６ａに係合させる（図２２の▲３▼）。この状態では、第２レバー部４５ｂがサイドフレーム４６に左側から接当し、且つ、係合突起４５ｊがストッパ部４６ａに右側から係合することにより、ロック解除レバー４５の左右移動が規制される。次に、蓋体開操作ボタン３１をユニットフレーム２７に上下スライド自在に取付ける（図２３の▲４▼）。これにより、ロック解除レバー４５の通常回動範囲外への回動が蓋体開操作ボタン３１によって規制されることになる。
【００３３】
以上の如く、本実施形態によれば、プリンタ１０は、ロール紙Ｐ１を収納する筐体（カバー１２、ユニットフレーム２７等）と、前記筐体の開口部２６を開閉する蓋体２８と、前記ロール紙Ｐ１及び単票紙Ｐ２に印字を行う印字ヘッド１６と、前記筐体側における前記印字ヘッド１６の下流位置に設けられ、前記ロール紙Ｐ１と前記単票紙Ｐ２とを分岐させる分岐体１８であって、前記蓋体２８の開閉を妨げない位置に退避可能なものと、前記筐体側に設けられ、直線方向に操作される蓋体開操作ボタン３１と、前記蓋体２８を閉位置にロックする蓋体ロック機構４４であって、前記蓋体開操作ボタン３１の操作に応じて、前記蓋体２８の開動作を許容すると共に、前記分岐体１８を退避側に動作させるものとを備えて構成される。つまり、印字ヘッド１６の下流位置でロール紙Ｐ１と単票紙Ｐ２とを分岐させる分岐体１８を備えるものでありながら、蓋体２８の開操作時においては、前記分岐体１８を、蓋体２８の開閉を妨げない位置に自動的に退避させることにより、蓋体２８の円滑な開動作を可能にすると共に、分岐体１８の破損等を防止することができ、しかも、蓋体開操作ボタン３１の直線的な操作に応じて蓋体２８のロック解除および分岐体１８の退避を行うことにより、蓋体開操作時の操作性を向上させることができる。
【００３４】
また、前記蓋体ロック機構４４は、前記筐体側に設けられるロックピン３０と、前記蓋体２８側に回動自在に設けられ、前記ロックピン３０に対して係脱可能なロックレバー２９と、前記筐体側に回動自在に設けられるロック解除レバー４５であって、前記蓋体開操作ボタン３１の操作に応じて、前記ロックレバー２９をロック解除側に動作させると共に、前記分岐体１８を退避側に動作させるものとを備える。つまり、蓋体開操作ボタン３１を直線的に操作するものでありながら、回動式のロック解除レバー４５を介してロックレバー２９及び分岐体１８を動作させることにより、蓋体開操作ボタン３１の操作力を軽減し、蓋体開操作時の操作性を更に向上させることができる。
【００３５】
また、前記蓋体２８に回動自在に設けられる可動プラテン１７は、前記蓋体２８の開操作に伴って前記印字ヘッド１６の近接対向位置から後退し、且つ、前記蓋体２８の閉操作に伴って前記印字ヘッド１６の近接対向位置に向けて前進するため、蓋体開閉時における分岐体１８と可動プラテン１７との干渉を確実に回避し、蓋体開動作時の円滑性を更に高めることができる。
【００３６】
また、前記分岐体１８に設けられる第２固定搬送ローラ２１と、前記可動プラテン１７に設けられ、前記第２固定搬送ローラ２１との間で前記ロール紙Ｐ１を搬送する第２可動搬送ローラ２２とを更に備えるため、印字ヘッド１６の下流側でロール紙Ｐ１を搬送してロール紙Ｐ１の弛み等を防止でき、しかも、分岐体１８が第２固定搬送ローラ２１の支持部材に兼用されるので、部品点数の削減及び構造の簡略化を図ることができる。
【００３７】
また、前記分岐体１８は、前記第２可動搬送ローラ２２に対して進退方向回動自在に構成されると共に、押えバネ４３によって前進方向に付勢されているため、分岐体１８を円滑に退避動作させることが可能になる許りでなく、押えバネ４３の付勢力で確実な紙押えを行うことができる。
【００３８】
また、前記分岐体１８は、前記ロール紙Ｐ１を切断するための固定刃４１を備えるため、分岐体１８を固定刃４１の支持部材に兼用し、部品点数の削減及び構造の簡略化を図ることができる。
【００３９】
また、前記ロック解除レバー４５は、前記蓋体開操作ボタン３１に連繋される第１レバー部４５ａと、前記ロックレバー２９及び前記分岐体１８に連繋される第２レバー部４５ｂと、前記第１及び第２レバー部４５ａ、４５ｂを一体的に連結する連結部４５ｃとを備えて形成され、前記第１及び第２レバー部４５ａ、４５ｂがそれぞれ回動支持されているため、ロック解除レバー４５の強度を高めると共に、ロック解除レバー４５の円滑な動作を可能にし、蓋体開操作時の操作性を更に向上させることができる。
【００４０】
また、前記ロック解除レバー４５を回動自在に支持するロック解除レバー支持部（ロック解除レバー支持部材４７及びサイドフレーム４６）は、通常回動範囲外における前記ロック解除レバー４５の横方向からの取り付けを許容する回動支持部４７ａと、通常回動範囲内における前記ロック解除レバー４５の横方向移動を規制するストッパ部４６ａとを備え、更に、前記ロック解除レバー４５の通常回動範囲外への回動が前記蓋体開操作ボタン３１によって規制されるため、ロック解除レバー４５の横方向移動を規制する専用部材が不要になり、その結果、部品点数及び組み立て工数を削減できる許りでなく、構造の簡略化を図ることができる。
【００４１】
また、前記第１レバー部４５ａは、回動支点孔４５ｅに連続する切欠き部４５ｉを備える一方、前記回動支持部４７ａは、前記切欠き部４５ｉが嵌合可能な幅狭部４７ｂと、該幅狭部４７ｂから横方向に突設され、前記切欠き部４５ｉが前記幅狭部４７ｂに嵌合した状態で前記回動支点孔４５ｅとの嵌合が許容される回動支点軸部４７ｃとを備えるため、ロック解除レバー４５に切欠き部４５ｉを形成する一方、回動支持部４７ａに幅狭部４７ｂを形成する程度の簡単な構成で、回動支持部４７ａに対するロック解除レバー４５の取り付けが可能になる。
【００４２】
以上、本発明の一実施形態を図面に沿って説明したが、本発明は前記実施形態において示された事項に限定されず、特許請求の範囲及び発明の詳細な説明の記載、並びに周知の技術に基づいて、当業者がその変更・応用を行うことができる範囲が含まれる。
【００４３】
【発明の効果】
以上の如く本発明によれば、印字ヘッドの下流位置で連続状シートと単票シートとを分岐させる分岐体を備えるものでありながら、蓋体の開操作時においては、前記分岐体を、蓋体の開閉を妨げない位置に自動的に退避させることにより、蓋体の円滑な開動作を可能にすると共に、分岐体の破損等を防止することができ、しかも、蓋体開操作ボタンの直線的な操作に応じて蓋体のロック解除および分岐体の退避を行うことにより、蓋体開操作時の操作性を向上させることができる。
【図面の簡単な説明】
【図１】プリンタの蓋体閉状態を示す斜視図である。
【図２】プリンタの蓋体開状態を示す斜視図である。
【図３】プリンタユニットの蓋体閉状態を示す斜視図である。
【図４】プリンタユニットの蓋体開状態を示す斜視図である。
【図５】プリンタユニットの側断面図である。
【図６】蓋体全開状態を示すプリンタユニットの側面図である。
【図７】蓋体半開状態を示すプリンタユニットの側面図である。
【図８】係合レバーがガイド部材に当った状態を示すプリンタユニットの側面図である。
【図９】可動プラテンが回動を開始した状態を示すプリンタユニットの側面図である。
【図１０】蓋体が全閉位置に至る直前の状態を示すプリンタユニットの側面図である。
【図１１】蓋体全閉状態を示すプリンタユニットの側面図である。
【図１２】分岐体の斜視図である。
【図１３】蓋体ロック機構を示すプリンタユニットの全体斜視図である。
【図１４】蓋体ロック機構を上側から見た斜視図である。
【図１５】蓋体ロック機構を下側から見た斜視図である。
【図１６】蓋体全閉状態を示す蓋体ロック機構の側面図である。
【図１７】蓋体開操作ボタンの操作直後を示す蓋体ロック機構の側面図である。
【図１８】蓋体が開動作を開始した状態を示す蓋体ロック機構の側面図である。
【図１９】（Ａ）はロック解除レバーの回動支点部位を示す側面図、（Ｂ）はロック解除レバー支持部材の回動支持部を示す平面図、（Ｃ）はその正面図、（Ｄ）はその側面図である。
【図２０】ロック解除レバーの取付手順を示す図である。
【図２１】ロック解除レバーの取付手順を示す図である。
【図２２】ロック解除レバーの取付手順を示す図である。
【図２３】ロック解除レバーの取付手順を示す図である。
【符号の説明】
Ｐ１  ロール紙
Ｐ２  単票紙
１０  プリンタ
１６  印字ヘッド
１７  可動プラテン
１８  分岐体
２１  第２固定搬送ローラ
２２  第２可動搬送ローラ
２６  開口部
２７  ユニットフレーム
２８  蓋体
２９  ロックレバー
３０  ロックピン
３１  蓋体開操作ボタン
４１  固定刃
４３  押えバネ
４４  蓋体ロック機構
４５  ロック解除レバー
４５ａ  第１レバー部
４５ｂ  第２レバー部
４５ｃ  連結部
４５ｉ  切欠き部
４６  サイドフレーム
４６ａ  ストッパ部
４７  ロック解除レバー支持部材
４７ａ  回動支持部
４７ｂ  幅狭部
４７ｃ  回動支点軸部
【図１】
0003680781.tif 000002
【図２】
0003680781.tif 000003
【図３】
0003680781.tif 000004
【図４】
0003680781.tif 000005
【図５】
0003680781.tif 000006
【図６】
0003680781.tif 000007
【図７】
0003680781.tif 000008
【図８】
0003680781.tif 000009
【図９】
0003680781.tif 000010
【図１０】
0003680781.tif 000011
【図１１】
0003680781.tif 000012
【図１２】
0003680781.tif 000013
【図１３】
0003680781.tif 000014
【図１４】
0003680781.tif 000015
【図１５】
0003680781.tif 000016
【図１６】
0003680781.tif 000017
【図１７】
0003680781.tif 000018
【図１８】
0003680781.tif 000019
【図１９】
0003680781.tif 000020
【図２０】
0003680781.tif 000021
【図２１】
0003680781.tif 000022
【図２２】
0003680781.tif 000023
【図２３】
0003680781.tif 000024